(57)【要約】【課題】既に発行された投票券と同様の申込内容で申し込まれる場合において、利用者が申込内容を申込用紙に記載する手間を省くとともに、申込用紙の消費量の低減を図ることが可能な発券装置を提供する。【解決手段】発券装置１００は、申込用紙および投票券が挿入される挿入口と、挿入口から挿入された申込用紙に記載された申込内容、および、挿入口から挿入された投票券に記載された情報を読み取る券面読取部５と、券面読取部５により読み取られた申込用紙の申込内容に基づいて、投票券を発行する発券部６とを備える。発券部６は、券面読取部５により読み取られた発行済の投票券の情報に基づいて、投票券を新たに発行することが可能なように構成されている。【選択図】図２
2011180852.tif 000002
【特許請求の範囲】
【請求項１】
申込内容が記載された申込用紙が挿入される第１挿入口と、
前記第１挿入口から挿入された申込用紙に記載された申込内容を読み取る第１読取部と、
前記第１読取部により読み取られた申込内容に基づいて、投票券を発行する発券部と、
既に発行された投票券が挿入される第２挿入口と、
前記第２挿入口から挿入された投票券に記録された情報を読み取る第２読取部とを備え、
前記発券部は、前記第２読取部により読み取られた情報に基づいて、投票券を発行することが可能なように構成されている、ことを特徴とする発券装置。
【請求項２】
請求項１に記載の発券装置において、
前記第２挿入口から挿入された投票券が的中しているか否かの照合結果を表示することが可能な表示部と、
前記第２挿入口から投票券が挿入された場合に、前記投票券の照合結果を前記表示部に表示させるか、前記投票券に記録された情報に基づいて前記発券部により投票券を発行させるかを判断する制御部と、をさらに備えることを特徴とする発券装置。
【請求項３】
請求項２に記載の発券装置において、
投票券には、第１のマーク箇所が設けられ、
前記制御部は、前記第２読取部により投票券が読み取られた際に、第１のマーク箇所がマークされていると判断された場合に、前記発券部により、前記第２読取部により読み取られた情報に基づいて投票券を発行させる、ことを特徴とする発券装置。
【請求項４】
請求項３に記載の発券装置において、
投票券には、第２のマーク箇所がさらに設けられ、
前記制御部は、前記第２読取部により投票券が読み取られた際に、第１のマーク箇所がマークされるとともに、第２のマーク箇所がマークされていると判断された場合に、前記第２挿入口から挿入された投票券に記録された情報に基づいた投票券を発行させない、ことを特徴とする発券装置。
【請求項５】
請求項２に記載の発券装置において、
照合モードまたは申込モードを選択するモード選択部をさらに備え、
前記制御部は、
前記モード選択部により照合モードが選択された場合に、前記第２挿入口から挿入された投票券の照合結果を前記表示部に表示させ、
前記モード選択部により申込モードが選択された場合に、前記発券部により、前記第２読取部により読み取られた情報に基づいて投票券を発行させる、ことを特徴とする発券装置。
【請求項６】
申込用紙に記載された申込内容を読み取る券面読取部と、前記申込内容に基づいて投票券を発行する発券部とを備えた発券装置における発券方法であって、
前記券面読取部により、挿入口から挿入された既に発行済の投票券に記録された情報を読み取る工程と、
前記発券部により、前記券面読取部が読み取った情報に基づいて、投票券を発行する工程と、を備えることを特徴とする発券方法。
【請求項７】
請求項６に記載の発券方法において、
前記券面読取部により、投票券に設けられた第１のマーク箇所がマークされているか否かを判断する工程をさらに備える、ことを特徴とする発券方法。
【請求項８】
請求項７に記載の発券方法において、
投票券に設けられた第１のマーク箇所がマークされていると判断される場合に、前記券面読取部により、投票券に設けられた第２のマーク箇所がマークされているか否かを判断する工程をさらに備える、ことを特徴とする発券方法。
【請求項９】
請求項６に記載の発券方法において、
モード選択部により、照合モードまたは申込モードを選択する工程をさらに備える、ことを特徴とする発券方法。
【発明の詳細な説明】
【技術分野】
【０００１】
本発明は、投票券を発行する発券装置および発券方法に関する。
【背景技術】
【０００２】
従来、利用者が所望する投票内容の投票券を発行するとともに、発行された投票券が的中しているか否かを照合することが可能な発券装置が知られている（たとえば、特許文献１参照）。
【０００３】
上記特許文献１には、申込内容が記載された申込用紙を読み取る申込用紙読取部と、申込用紙読取部により読み取られた申込内容に基づいて投票券を発行する発券部と、投票券を読み取る投票券読取部と、投票券読取部により読み取られた投票内容に基づいて、投票券が的中しているか否かを判定する判定部とを備えた発券装置が開示されている。
【０００４】
この発券装置では、利用者により申込内容が記載された申込用紙が挿入されることにより、利用者が所望する投票内容の投票券が発行される。ここで、利用者の中には、既に発行された投票券と同様の投票内容の投票券の発券を繰り返し行うことを希望する者が存在する。
【先行技術文献】
【特許文献】
【０００５】
【特許文献１】特開平１１−１４９５０８号公報
【発明の概要】
【発明が解決しようとする課題】
【０００６】
しかしながら、上記特許文献１に開示された従来の発券装置では、既に発行された投票券と同様の投票内容の投票券を発行するには、利用者により同様の申込内容が申込用紙に記載され、その申込用紙が発券装置に挿入される必要がある。すなわち、既に発行された投票券と同様の申込内容で申し込まれる場合にも、新たな申込内容で申し込まれる場合と同様に、新たな申込用紙が用意され、その申込用紙に利用者が申込内容を記載しなければならないという問題点がある。
【０００７】
本発明は、上述した課題を解決するものであって、その目的とするところは、既に発行された投票券と同様の申込内容で申し込まれる場合において、利用者が申込内容を申込用紙に記載する手間を省くとともに、申込用紙の消費量の低減を図ることが可能な発券装置および発券方法を提供することである。
【課題を解決するための手段】
【０００８】
本発明の発券装置は、申込内容が記載された申込用紙が挿入される第１挿入口と、第１挿入口から挿入された申込用紙に記載された申込内容を読み取る第１読取部と、第１読取部により読み取られた申込内容に基づいて、投票券を発行する発券部と、既に発行された投票券が挿入される第２挿入口と、第２挿入口から挿入された投票券に記録された情報を読み取る第２読取部とを備え、発券部は、第２読取部により読み取られた情報に基づいて、投票券を発行することが可能なように構成されている。
【０００９】
このように構成することによって、既に発行された投票券が第２挿入口から挿入されることにより、申込用紙が用いられることなく、既に発行された投票券と同様の投票内容の投票券を発行することができる。したがって、既に発行された投票券と同様の申込内容で申し込まれる場合に、新たな申込用紙を用意し、その申込用紙に利用者が申込内容を記載する必要がないので、利用者が申込内容を申込用紙に記載する手間を省くとともに、申込用紙の消費量の低減を図ることができる。
【００１０】
上記発券装置において、第２挿入口から挿入された投票券が的中しているか否かの照合結果を表示することが可能な表示部と、第２挿入口から投票券が挿入された場合に、投票券の照合結果を表示部に表示させるか、投票券に記録された情報に基づいて発券部により投票券を発行させるかを判断する制御部とをさらに備えていてもよい。
【００１１】
上記表示部および制御部を備えた発券装置において、投票券には、第１のマーク箇所が設けられ、制御部は、第２読取部により投票券が読み取られた際に、第１のマーク箇所がマークされていると判断された場合に、発券部により、第２読取部により読み取られた情報に基づいて投票券を発行させるようにしてもよい。
【００１２】
この場合において、投票券には、第２のマーク箇所がさらに設けられ、制御部は、第２読取部により投票券が読み取られた際に、第１のマーク箇所がマークされるとともに、第２のマーク箇所がマークされていると判断された場合に、第２挿入口から挿入された投票券に記録された情報に基づいた投票券を発行させないようにしてもよい。
【００１３】
上記表示部および制御部を備えた発券装置において、照合モードまたは申込モードを選択するモード選択部をさらに備え、制御部は、モード選択部により照合モードが選択された場合に、第２挿入口から挿入された投票券の照合結果を表示部に表示させ、モード選択部により申込モードが選択された場合に、発券部により、第２読取部により読み取られた情報に基づいて投票券を発行させるようにしてもよい。
【００１４】
また、本発明の発券方法は、申込用紙に記載された申込内容を読み取る券面読取部と、申込内容に基づいて投票券を発行する発券部とを備えた発券装置における発券方法であって、券面読取部により、挿入口から挿入された既に発行済の投票券に記録された情報を読み取る工程と、発券部により、券面読取部が読み取った情報に基づいて、投票券を発行する工程とを備える。
【００１５】
上記発券方法において、券面読取部により、投票券に設けられた第１のマーク箇所がマークされているか否かを判断する工程をさらに備えていてもよい。
【００１６】
この場合において、投票券に設けられた第１のマーク箇所がマークされていると判断される場合に、券面読取部により、投票券に設けられた第２のマーク箇所がマークされているか否かを判断する工程をさらに備えていてもよい。
【００１７】
上記発券方法において、モード選択部により、照合モードまたは申込モードを選択する工程をさらに備えていてもよい。
【発明の効果】
【００１８】
本発明によれば、既に発行された投票券と同様の申込内容で申し込まれる場合において、利用者が申込内容を申込用紙に記載する手間を省くとともに、申込用紙の消費量の低減を図ることが可能な発券装置および発券方法を提供することができる。
【図面の簡単な説明】
【００１９】
【図１】本発明の第１実施形態による発券装置の全体構成を示した斜視図である。
【図２】図１の発券装置の構成を示したブロック図である。
【図３】第１実施形態による発券装置の動作を説明するためのフローチャートである。
【図４】図１の発券装置に挿入される申込用紙の一例を示した図である。
【図５】図２の発券装置の券面読取部により読み取られた申込内容を説明するための図である。
【図６】図２のホストコンピュータにより作成された発券情報を説明するための図である。
【図７】図２の発券装置の発券部により発行された投票券を説明するための図である。
【図８】図７の投票券の「申込モード  オン」がマークされた状態を示した図である。
【図９】図７の投票券の「申込モード  オン」および「申込モード  オフ」がマークされた状態を示した図である。
【図１０】図２の発券装置の券面読取部により読み取られた申込情報を説明するための図である。
【図１１】図２のホストコンピュータにより作成された発券情報を説明するための図である。
【図１２】図２の発券装置の発券部により発行された投票券を説明するための図である。
【図１３】本発明の第２実施形態による発券装置の構成を示したブロック図である。
【図１４】図１３の発券装置の発券部により発行された投票券を説明するための図である。
【図１５】第２実施形態による発券装置の動作を説明するためのフローチャートである。
【図１６】図１３の発券装置の表示部にモード選択画面が表示された状態を示した図である。
【図１７】第２実施形態の変形例による発券装置の全体構成を示した斜視図である。
【図１８】図２の発券装置の発券部により発行された投票券を説明するための図である。
【発明を実施するための形態】
【００２０】
以下、本発明の第１および第２実施形態について、図面を参照しながら説明する。なお、以下の実施形態では、申込内容を購入者が決める投票券の発券装置に本発明を適用した場合について説明する。
【００２１】
（第１実施形態）
まず、図１および図２を参照して、本発明の第１実施形態による発券装置１００の構成について説明する。なお、この発券装置１００は、申込内容を購入者が決める投票券の販売窓口に設置されており、係員により操作される。
【００２２】
第１実施形態による発券装置１００には、図１に示すように、申込用紙（マークカード）および投票券が挿入される挿入口１と、挿入口１に挿入された申込用紙および投票券が排出される排出口２と、投票券が発券される発券口３とが設けられている。なお、挿入口１は、本発明の「第１挿入口」および「第２挿入口」の一例である。
【００２３】
また、発券装置１００は、図２に示すように、搬送部４と、券面読取部５と、発券部６と、表示部７と、タッチパネル８と、通信部９と、記憶部１０と、制御部１１とを備えている。なお、券面読取部５は、本発明の「第１読取部」および「第２読取部」の一例である。
【００２４】
搬送部４は、挿入口１から挿入された申込用紙および投票券を排出口２へ搬送する。券面読取部５は、申込用紙の券面に記載された申込内容を読み取るためのＯＭＲ（Optical Mark Reader：光学式マーク読取部）として機能するとともに、投票券の券面に記載されたバーコードを読み取るためのバーコードリーダとして機能する。したがって、券面読取部５は、搬送部４により搬送される申込用紙に記載された申込内容を読み取るとともに、搬送部４により搬送される投票券に記録された情報を読み取る。また、券面読取部５は、投票券の券面に記載された文字情報を読み取るためのＯＣＲ（Optical Character Reader：光学式文字読取部）としても機能する。
【００２５】
発券部６は、印字部などを有しており、券面読取部５により読み取られた申込用紙の申込内容に基づいて投票券を発行する。また、発券部６は、券面読取部５により読み取られた投票券の情報に基づいて、投票券を発行することが可能なように構成されている。
【００２６】
表示部７は、たとえば、液晶ディスプレイであり、挿入口１から挿入された投票券が的中しているか否かの照合結果などを表示する。タッチパネル８は、表示部７の表示領域上に設けられており、係員からの操作指令を受け付ける。通信部９は、ネットワーク１５０を介してホストコンピュータ１５１と通信する。
【００２７】
記憶部１０は、券面読取部５により読み取られた情報などを記憶する。制御部１１は、ＣＰＵ、ＲＯＭ、およびＲＡＭなどを有しており、発券装置１００の動作を制御する。
【００２８】
次に、図１〜図１３を参照して、本発明の第１実施形態による発券装置１００の動作について説明する。なお、図３のフローチャートの各ステップは、制御部１１（図２参照）により実行される。
【００２９】
まず、発券装置１００では、図３のステップＳ１において、申込用紙が挿入口１（図１参照）に挿入されたか否かが判断される。この申込用紙が挿入されたか否かの判断は、挿入口１の近傍に設けられたセンサ（図示省略）の検出結果に基づいて判断される。そして、申込用紙が挿入口１に挿入されたと判断された場合には、ステップＳ２に移る。この場合には、申込用紙を用いた発券動作が行われる。その一方、申込用紙が挿入口１に挿入されていないと判断された場合には、ステップＳ８に移る。
【００３０】
次に、ステップＳ２において、搬送部４（図２参照）により、申込用紙が挿入口１を介して取り込まれる。そして、ステップＳ３において、券面読取部５（図２参照）により、申込用紙に記載された申込内容が読み取られる。具体的には、図４に示すように、申込用紙１６０には、申込番号を記載する欄１６１と、買い方を記載する欄１６２とが複数設けられるとともに、申込口数を記載する欄１６３が設けられており、これらの記載内容（黒く塗りつぶされた部分の情報）が券面読取部５により読み取られる。たとえば、最上段の申込番号の記載欄１６１では、左から順に「８」「４」「９」の数字が塗りつぶされているので、申込番号として「８４９」が読み取られる。買い方の記載欄１６２や申込口数の記載欄１６３についても、同じ要領で情報が読み取られる。
【００３１】
図４の申込用紙１６０の例では、「申込番号：８４９、買い方：Ａ」、「申込番号：９６３、買い方：Ａ」、「申込番号：７８９、買い方：Ｂ」、「申込番号：０４６、買い方：Ｂ」が各１口ずつ申し込まれる。その後、図５に示すように、券面読取部５により読み取られた申込内容が記憶部１０（図２参照）に記録される。
【００３２】
次に、ステップＳ４において、記憶部１０に記録された申込内容が通信部９（図２参照）からネットワーク１５０を介してホストコンピュータ１５１（図２参照）に送信される。そして、ホストコンピュータ１５１では、受信した申込内容に基づいて、図６に示すような発券情報が作成される。発券情報には、抽選日および支払期限と、合計金額とが含まれる。その後、作成された発券情報がホストコンピュータ１５１からネットワーク１５０を介して発券装置１００に送信される。
【００３３】
次に、ステップＳ５において、通信部９が発券情報を受信したか否かが判断される。そして、発券情報を受信していないと判断された場合には、ステップＳ５が繰り返し行われる。すなわち、発券情報を受信するまで待機する。そして、発券情報を受信したと判断された場合には、ステップＳ６に移る。
【００３４】
次に、ステップＳ６において、発券部６（図２参照）により、ホストコンピュータ１５１から受信した発券情報に基づいて投票券が発行される。そして、その投票券が発券口３（図１参照）から排出される。その後、ステップＳ７において、搬送部４により、排出口２（図１参照）から申込用紙が排出され、ステップＳ１に戻る。これにより、発券装置１００では、申込用紙を用いた発券動作が終了する。
【００３５】
ここで、図７に示すように、発行された投票券１７０の券面には、申込番号１７１と、買い方１７２と、購入日に応じた抽選日および支払期限１７３と、申込口数１７４と、合計金額１７５と、投票内容を識別するためのバーコード（１次元コード）１７６とが印刷されている。なお、投票券１７０の大きさは、申込用紙１６０に比べて小さい。
【００３６】
図７の投票券１７０の例では、「申込番号：８４９、買い方：Ａ」、「申込番号：９６３、買い方：Ａ」、「申込番号：７８９、買い方：Ｂ」、「申込番号：０４６、買い方：Ｂ」が各１口ずつ投票されている。
【００３７】
また、投票券１７０の券面には、投票券１７０を申込用紙として使用するためのマーク箇所１７７（「申込モード  オン」）と、投票券１７０を投票券として使用するためのマーク箇所１７８（「申込モード  オフ」）とが設けられている。投票券を購入した利用者がその投票券を申込用紙として利用する場合は、「申込モード  オン」をマークして係員等に渡す。また、それを取り消し再度投票券として照合する場合は、「申込モード  オフ」にもマークをする。なお、マーク箇所１７７および１７８は、それぞれ、本発明の「第１のマーク箇所」および「第２のマーク箇所」の一例である。
【００３８】
また、図３のステップＳ１において、申込用紙が挿入口１に挿入されていないと判断された場合には（ステップＳ１：No）、ステップＳ８において、投票券が挿入口１に挿入されたか否かが判断される。この投票券が挿入されたか否かの判断は、挿入口１の近傍に設けられたセンサの検出結果に基づいて判断される。そして、投票券が挿入口１に挿入されたと判断された場合には、ステップＳ９に移る。その一方、投票券が挿入口１に挿入されていないと判断された場合には、ステップＳ１に戻る。すなわち、発券装置１００では、申込用紙または投票券が挿入口１に挿入されるまで待機する。
【００３９】
次に、ステップＳ９において、搬送部４により、投票券が挿入口１を介して取り込まれる。そして、ステップＳ１０において、券面読取部５により、投票券の「申込モード  オン」がマークされているか否かが判断される。そして、図８に示す投票券１７０ａおよび図９に示す投票券１７０ｂのように、マーク箇所１７７がマークされている場合は、「申込モード  オン」がマークされていると判断して、ステップＳ１６に移る。その一方、図７に示す投票券１７０のように、マーク箇所１７７がマークされていない場合は、「申込モード  オン」がマークされていないと判断して、ステップＳ１１に移る。この場合には、投票券１７０の照合動作が行われる。
【００４０】
次に、ステップＳ１１において、券面読取部５により、投票券の券面に記載された投票内容を識別するための情報（図７等のバーコード１７６）が読み取られる。その後、券面読取部５により読み取られた情報が記憶部１０に記録される。
【００４１】
次に、ステップＳ１２において、券面読取部５により読み取られた投票内容を識別するための情報が、通信部９からネットワーク１５０を介してホストコンピュータ１５１に送信される。そして、ホストコンピュータ１５１では、受信した情報に基づいて、投票券が的中しているか否かを照合する。その後、照合結果がホストコンピュータ１５１からネットワーク１５０を介して発券装置１００に送信される。
【００４２】
次に、ステップＳ１３において、通信部９が照合結果を受信したか否かが判断される。そして、照合結果を受信していないと判断された場合には、ステップＳ１３が繰り返し行われる。すなわち、照合結果を受信するまで待機する。そして、照合結果を受信したと判断された場合には、ステップＳ１４に移る。
【００４３】
次に、ステップＳ１４において、挿入口１に挿入された投票券が的中しているか否かの照合結果が表示部７（図２参照）に表示される。その後、ステップＳ１５において、搬送部４により、排出口２から投票券が排出され、ステップＳ１に戻る。これにより、発券装置１００では、照合動作（照合モード）が終了する。
【００４４】
また、「申込モード  オン」がマークされていると判断される場合には（ステップＳ１０：Yes）、ステップＳ１６において、券面読取部５により、投票券の「申込モード  オフ」がマークされているか否かが判断される。そして、図９に示す投票券１７０ｂのように、マーク箇所１７８がマークされている場合は、「申込モード  オフ」がマークされていると判断して、ステップＳ１１に移る。この場合には、挿入された投票券１７０ｂに記録された情報に基づいた投票券は発行されず、投票券１７０ｂの照合動作が行われる。その一方、図８に示す投票券１７０ａのように、マーク箇所１７８がマークされていない場合は、「申込モード  オフ」がマークされていないと判断して、ステップＳ１７に移る。この場合には、投票券１７０ａを用いた発券動作が行われる。
【００４５】
次に、ステップＳ１７において、券面読取部５により、投票券の券面の文字情報が読み取られる。具体的には、図８の投票券１７０ａの例では、申込番号１７１と、買い方１７２と、購入日に応じた抽選日および支払期限１７３と、申込口数１７４とが読み取られる。
【００４６】
次に、ステップＳ１８において、券面読取部５により読み取られた投票券の文字情報に基づいて、図１０に示すような申込情報が作成される。具体的には、券面読取部５により読み取られた申込番号１７１を申込情報の申込番号とし、券面読取部５により読み取られた買い方１７２を申込情報の買い方とし、券面読取部５により読み取られた申込口数１７４を申込情報の申込口数とする。その後、作成された申込情報が記憶部１０に記録される。
【００４７】
図１０の申込情報の例では、「申込番号：８４９、買い方：Ａ」、「申込番号：９６３、買い方：Ａ」、「申込番号：７８９、買い方：Ｂ」、「申込番号：０４６、買い方：Ｂ」が各１口ずつ申し込まれる。
【００４８】
次に、ステップＳ１９において、記憶部１０に記録された申込情報が通信部９からネットワーク１５０を介してホストコンピュータ１５１に送信される。そして、ホストコンピュータ１５１では、受信した申込情報に基づいて、図１１に示すような発券情報が作成される。発券情報には、購入日に応じた抽選日および支払期限と、合計金額とが含まれる。その後、作成された発券情報がホストコンピュータ１５１からネットワーク１５０を介して発券装置１００に送信される。
【００４９】
次に、ステップＳ２０において、通信部９が発券情報を受信したか否かが判断される。そして、発券情報を受信していないと判断された場合には、ステップＳ２０が繰り返し行われる。すなわち、発券情報を受信するまで待機する。そして、発券情報を受信したと判断された場合には、ステップＳ２１に移る。
【００５０】
次に、ステップＳ２１において、発券部６により、ホストコンピュータ１５１から受信した発券情報に基づいて投票券１７０ｃ（図１２参照）が発行される。そして、その投票券１７０ｃが発券口３から排出される。その後、ステップＳ１５において、搬送部４により、排出口２から投票券が排出され、ステップＳ１に戻る。これにより、発券装置１００では、投票券を用いた発券動作（申込モード）が終了する。
【００５１】
図１２の投票券１７０ｃでは、「申込番号：８４９、買い方：Ａ」、「申込番号：９６３、買い方：Ａ」、「申込番号：７８９、買い方：Ｂ」、「申込番号：０４６、買い方：Ｂ」が各１口ずつ投票されている。
【００５２】
第１実施形態では、上記のように、発券部６を、既に発行された投票券の券面に記載された情報に基づいて、投票券を発行することが可能なように構成することによって、申込用紙を用いることなく、既に発行された投票券１７０ａと同様の投票内容の投票券１７０ｃを新たに発行することができる。したがって、既に発行された投票券１７０ａと同様の申込内容で申し込まれる場合に、新たな申込用紙を用意し、その申込用紙に利用者（投票券の購入者または係員）が申込内容を記載する必要がなく、利用者は、発行済の投票券１７０ａのマーク箇所１７７をマークするだけでよい。これにより、利用者が申込内容を申込用紙に記載する手間を省くとともに、申込用紙の消費量の低減を図ることができる。
【００５３】
また、第１実施形態では、投票券１７０ａのマーク箇所１７７がマークされている場合に、投票券１７０ａを申込用紙として扱うことによって、投票券を申込用紙として用いるか否かをマークの有無によって容易に判断することができる。
【００５４】
また、第１実施形態では、投票券１７０ｂのマーク箇所１７８がマークされている場合に、投票券１７０ｂを投票券として扱うことによって、投票券１７０ｂを申込用紙として用いた後、マーク箇所１７７のマークを消すことができない場合や、マーク箇所１７７のマークを消したにもかかわらず、マークされていると誤判定される場合にも、投票券１７０ｂを投票券として用いることができる。
【００５５】
また、第１実施形態では、投票券を申込用紙として扱う場合に、投票券１７０ａの券面の文字情報（申込番号１７１、買い方１７２、購入日に応じた抽選日および支払期限１７３、申込口数１７４）を読み取ることによって、投票券１７０ａの投票内容を容易に判断することができる。たとえば、投票券１７０ａの投票内容を識別するためのバーコード１７６を読み取る場合には、投票内容をホストコンピュータ１５１に照会する必要があるので、この場合に比べて、投票券１７０ａの投票内容を判断する処理を迅速に行うことができる。
【００５６】
また、第１実施形態では、投票券１７０の大きさが申込用紙１６０に比べて小さいことによって、申込内容が記載された申込用紙を使いまわす場合に比べて、利便性の向上を図ることができる。
【００５７】
（第２実施形態）
次に、図１３および図１４を参照して、本発明の第２実施形態による発券装置２００の構成について説明する。
【００５８】
第２実施形態による発券装置２００は、図１３に示すように、発券部２０１を備えている。なお、発券装置２００のその他の構成は、発券装置１００（図１および図２参照）と同様であるので説明を省略する。なお、タッチパネル８は、本発明の「モード選択部」の一例である。
【００５９】
発券部２０１は、図１４に示すように、マーク箇所１７７および１７８（図７参照）が設けられていない投票券２７０を発行する。
【００６０】
次に、図１３〜図１６を参照して、本発明の第２実施形態による発券装置２００の動作について説明する。なお、図１５のフローチャートの各ステップは、制御部１１（図１３参照）により実行される。また、図１５のステップＳ３１〜Ｓ３９と、ステップＳ４２〜Ｓ４６と、ステップＳ４８〜Ｓ５２とは、それぞれ、上記した図３のステップＳ１〜Ｓ９と、ステップＳ１１〜Ｓ１５と、ステップＳ１７〜Ｓ２１と略同様であり、説明を省略する。
【００６１】
第２実施形態では、投票券が挿入口１（図１参照）を介して取り込まれた場合に（ステップＳ３９）、ステップＳ４０において、図１６に示すようなモード選択画面Ｗを表示部７に表示する。このモード選択画面Ｗには、照合モードを選択するための選択ボタンＰ１と、申込モードを選択するための選択ボタンＰ２とが表示される。
【００６２】
次に、ステップＳ４１において、照合モードが選択されたか否かが判断される。具体的には、タッチパネル８により、選択ボタンＰ１が押されたか否かが判断される。そして、照合モードが選択されたと判断された場合には、ステップＳ４２に移る。その一方、照合モードが選択されていないと判断された場合には、ステップＳ４７に移る。
【００６３】
次に、ステップＳ４７において、申込モードが選択されたか否かが判断される。具体的には、タッチパネル８により、選択ボタンＰ２が押されたか否かが判断される。そして、申込モードが選択されたと判断された場合には、ステップＳ４８に移る。その一方、申込モードが選択されていないと判断された場合には、ステップＳ４１に戻る。すなわち、照合モードまたは申込モードが選択されるまで待機する。
【００６４】
第２実施形態では、上記のように、投票券が挿入された場合に、モード選択画面Ｗを表示部７に表示することによって、図１４に示すようなマーク箇所１７７および１７８（図７参照）が設けられていない投票券２７０であっても、申込用紙として用いることができる。
【００６５】
なお、第２実施形態のその他の効果は、上記第１実施形態と同様である。
【００６６】
本発明は、上述した以外にも種々の実施形態を採用することができる。たとえば、勝馬投票券、数字選択式宝くじ、スポーツくじなどの投票券の発券装置に本発明を適用してもよい。
【００６７】
また、上記第１および第２実施形態では、係員により操作される発券装置１００および２００に本発明を適用する例を示したが、これに限らず、購入者により操作される発券装置に本発明を適用してもよい。この場合、発券装置に、購入金額を徴収する機能や、的中した投票券の払い戻し機能が設けられていてもよい。
【００６８】
また、上記第１および第２実施形態では、投票券が挿入された場合に、挿入された投票券の照合、または、挿入された投票券と同様の投票内容の申し込みを行う例を示したが、これに限らず、投票券が挿入された場合に、挿入された投票券の照合、および、挿入された投票券と同様の投票内容の申し込みを行うようにしてもよい。この場合、挿入口１から挿入された投票券が排出口２から排出されることなく、回収されるようにしてもよい。
【００６９】
また、上記第２実施形態では、申込用紙および投票券が挿入される挿入口１が設けられる例を示したが、これに限らず、図１７に示した第２実施形態の変形例による発券装置３００のように、投票券の申込時に申込用紙または投票券が挿入される挿入口３０１と、投票券の照合時に投票券が挿入される挿入口３０２とが設けられていてもよい。なお、挿入口３０１は、本発明の「第１挿入口」および「第２挿入口」の一例であり、挿入口３０２は、本発明の「第２挿入口」の一例である。
【００７０】
また、上記第１実施形態では、投票券の文字情報に基づいて申込情報が作成される例を示したが（図３のステップＳ１８）、これに限らず、投票券に記載された投票内容を識別するための情報（バーコード）に基づいて申込情報が作成されてもよい。なお、第２実施形態についても同様である。
【００７１】
また、上記第１実施形態において、発券部６が、投票内容を示す二次元コード４７１が記載された投票券４７０（図１８参照）を発行するようにしてもよい。この場合、ステップＳ１８において、二次元コード４７１に記載された情報に基づいて申込情報が作成されてもよい。また、投票内容を示す２次元コードが記載される代わりに、投票内容が磁気媒体に記録されていてもよい。なお、第２実施形態についても同様である。
【００７２】
また、上記第１実施形態では、投票券１７０に、投票券１７０を投票券として使用するためのマーク箇所１７８が設けられる例を示したが、これに限らず、マーク箇所１７８が設けられていなくてもよい。すなわち、図３のステップＳ１６が省略され、マーク箇所１７７がマークされているか否かに基づいて、照合モードまたは申込モードが選択されるようにしてもよい。
【００７３】
また、上記第１実施形態のステップＳ１８において、申込情報が作成された後、作成された申込情報を表示部７に表示するようにしてもよい。また、表示部７に表示された申込情報を変更可能なようにしてもよい。なお、第２実施形態についても同様である。
【００７４】
また、上記第１実施形態では、マーク箇所１７７がマークされているか否かが判断された後に、マーク箇所１７８がマークされているか否かが判断される例を示したが、これに限らず、マーク箇所１７８がマークされているか否かが判断された後に、マーク箇所１７７がマークされているか否かが判断されるようにしてもよい。
【００７５】
また、上記第２実施形態では、投票券が挿入された場合に、モード選択画面Ｗを表示部７に表示する例を示したが、これに限らず、モードを選択するための物理的なスイッチ（図示省略）が設けられていてもよい。
【００７６】
また、上記第２実施形態では、投票券が挿入口１を介して取り込まれた後に、モード選択画面Ｗを表示部７に表示する例を示したが、これに限らず、投票券が挿入口１を介して取り込まれる前に、モード選択画面Ｗを表示部７に表示し、予めモードが選択されるようにしてもよい。
【符号の説明】
【００７７】
１、３０１              挿入口（第１挿入口、第２挿入口）
５                      券面読取部（第１読取部、第２読取部）
６                      発券部
７                      表示部
８                      タッチパネル（モード選択部）
１１                    制御部
１００、２００、３００  発券装置
１６０                  申込用紙
１７０、１７０ａ、１７０ｂ、１７０ｃ、２７０、４７０  投票券
１７７                  マーク箇所（第１のマーク箇所）
１７８                  マーク箇所（第２のマーク箇所）
３０２                  挿入口（第２挿入口）
【図１】
2011180852.tif 000003
【図２】
2011180852.tif 000004
【図３】
2011180852.tif 000005
【図４】
2011180852.tif 000006
【図５】
2011180852.tif 000007
【図６】
2011180852.tif 000008
【図７】
2011180852.tif 000009
【図８】
2011180852.tif 000010
【図９】
2011180852.tif 000011
【図１０】
2011180852.tif 000012
【図１１】
2011180852.tif 000013
【図１２】
2011180852.tif 000014
【図１３】
2011180852.tif 000015
【図１４】
2011180852.tif 000016
【図１５】
2011180852.tif 000017
【図１６】
2011180852.tif 000018
【図１７】
2011180852.tif 000019
【図１８】
2011180852.tif 000020